(57)【要約】【課題】  蛇篭を吊り上げ、所定の場所に敷設する際に、蛇篭の変形を極力防止すると共に、吊り上げ、吊下ろしの際の作業を容易にする。【解決手段】  箱状の枠の中に吊ワイヤーをセットするステップと、前記枠の中に蛇篭本体を入れるステップと、前記蛇篭内に充填材を充填するステップと、前記蛇篭の上に、蛇篭の平面形状と対応する平面形状を有する補強フレームを載置するステップと、前記吊ワイヤーの両端部を揚重機のフックに引っ掛けて蛇篭を吊り上げるステップとを有する施工方法とした。また、前記吊ワイヤーをセットするステップと枠の中に蛇篭本体を入れるステップの間に、棒状の補強材を前記枠の少なくとも対向する２辺下端に沿って前記吊ワイヤーの上にセットするステップを有する施工方法とした。【選択図】      図８
2015025240.tif 000002
【特許請求の範囲】
【請求項１】
箱状の枠の中に、吊ワイヤー中央部を入れ、両端部を各々対向する側壁上部から枠外部に出るように吊ワイヤーをセットするステップと、
前記枠の中に蛇篭本体を入れるステップと、
前記蛇篭内に割栗石などの充填材を充填するステップと、
前記蛇篭の上に、蛇篭の平面形状と対応する平面形状を有する補強フレームを載置するステップと、
前記吊ワイヤーの両端部を揚重機のフックに引っ掛けて蛇篭を吊り上げるステップを有することを特徴とする蛇篭の施工方法。
【請求項２】
前記吊ワイヤーをセットするステップと、枠の中に蛇篭本体を入れるステップの間に、
棒状の補強材を、少なくとも、前記枠の対向する２辺下端に沿って、前記吊ワイヤーの上にセットするステップを有する請求項１に記載の蛇篭の施工方法。
【請求項３】
前記充填材を充填するステップと、補強フレームを載置するステップの間に、蛇篭上面に金網の蓋を装着するステップを有する請求項１又は２に記載の蛇篭の施工方法。
【発明の詳細な説明】
【技術分野】
【０００１】
本発明は、護岸や河床などに使用される蛇篭の施工方法に関する。
【背景技術】
【０００２】
下記特許文献１に開示されているように、蛇篭は、箱状に加工した金網の内部に栗石などの充填材を充填したもので、これを多数連続して敷設し、護岸や河床が形成される。
【０００３】
蛇篭の施工は、箱状の金網（蛇篭本体）の内部に栗石等を充填し、必要に応じて金網の蓋を装着し、クレーンなどの揚重機で吊り上げ、所定の場所に敷設される。
【０００４】
図１１，１２は、従来の蛇篭施工方法における、栗石を充填した蛇篭の吊り上げ状態の説明図である。
図１１において、蛇篭１に４本の吊ワイヤー２１を掛け、全てのワイヤーの端部をクレーンのフック２０に引っ掛けている。このようにして蛇篭を吊り上げると、吊ワイヤー２１がフック２０により１点に絞られ、蛇篭の底面及び側面が絞られた吊ワイヤー２１と接触し、大きな力を受けるため、蛇篭１の底面、側面及び上面が大きく変形してしまうという問題がある。
【０００５】
図１２は、蛇篭の吊り上げに際して、吊治具２２を用いる例である。吊治具２２は、フレーム状をなし、上面に治具吊ワイヤー２３を有し、下面に治具フック２４を有する。吊治具２２は治具吊ワイヤー２３によりクレーンのフック２０に吊り下げられている。蛇篭には４本の吊ワイヤー２１を掛け、吊ワイヤー２１の端部は吊治具２２の治具フック２４に引っ掛けられている。この場合、吊ワイヤー２１は１点に絞られないため、図１１の場合に比べて蛇篭の変形は少ないが、吊り上げの際に吊ワイヤーを治具フックに引っ掛ける作業、吊り降ろしの際に吊ワイヤーを治具フックから取り外す作業が面倒になるという問題がある。
【先行技術文献】
【特許文献】
【０００６】
【特許文献１】特開平７−１５８０３０号公報
【発明の概要】
【発明が解決しようとする課題】
【０００７】
本発明は、蛇篭を吊り上げ、所定の場所に敷設する際に、蛇篭の変形を極力防止すると共に、吊り上げ、吊下ろしの際の作業を容易にすることを課題とするものである。
【課題を解決するための手段】
【０００８】
本発明は、箱状の枠の中に、吊ワイヤー中央部を入れ、両端部を各々対向する側壁上部から枠外部に出るように吊ワイヤーをセットするステップと、
前記枠の中に蛇篭本体を入れるステップと、
前記蛇篭内に割栗石などの充填材を充填するステップと、
前記蛇篭の上に、蛇篭の平面形状と対応する平面形状を有する補強フレームを載置するステップと、
前記吊ワイヤーの両端部を揚重機のフックに引っ掛けて蛇篭を吊り上げるステップを有することを特徴とする蛇篭の施工方法である。
【０００９】
箱状の枠の中に蛇篭本体を入れ、充填材を充填するので、枠の剛性により、充填材を充填するときの蛇篭の変形が防止される。
【００１０】
蛇篭の上に補強フレームを載置するので、蛇篭を吊り上げたとき、吊ワイヤーがフックにより１点に絞られるが、補強フレームの剛性によりワイヤーの絞られる力が蛇篭に伝達されず、蛇篭上面及び側面上部の変形が防止される。
【００１１】
補強フレームの平面形状（輪郭）は、蛇篭の平面形状に対応している。ここで、「対応」とは、補強フレームの平面形状が蛇篭の平面形状と同じで大きさも同じか、やや大きいことである。
【００１２】
補強フレームは、例えば、Ｈ形鋼、コ字形鋼（チャンネル）、Ｌ字形鋼（アングル）、角パイプなどの鋼材を溶接又はボルトにより組み立てて作成できる。
【００１３】
本発明において、吊ワイヤーをセットするステップと、枠の中に蛇篭本体を入れるステップの間に、棒状の補強材を、少なくとも、前記枠の対向する２辺下端に沿って、前記吊ワイヤーの上にセットするステップを設けることができる。
【００１４】
棒状の補強材が蛇篭の下辺に沿って配置されるので、補強材の剛性により、蛇篭を吊り上げたときの蛇篭底面及び側面下部の変形が防止される。
【００１５】
本発明において、前記充填材を充填するステップと、補強フレームを載置するステップの間に、蛇篭上面に金網の蓋を装着するステップを設けることができる。
【００１６】
蛇篭の蓋は、必要に応じて装着すればよい。
【発明の効果】
【００１７】
本発明は、補強フレーム及び補強材の剛性により、蛇篭を吊り上げ、所定の場所に設置する際の蛇篭の変形が防止される。また、吊ワイヤーの端部を揚重機のフックに直接引っ掛けるので、吊り上げの際に吊ワイヤーを揚重機のフックに引っ掛ける作業、吊り降ろしの際に吊ワイヤーをフックから取り外す作業が容易である。
【図面の簡単な説明】
【００１８】
【図１】枠の斜視図である。
【図２】枠に吊ワイヤーをセットした状態の斜視図である。
【図３】枠内に補強材をセットした状態の斜視図である。
【図４】枠内に蛇篭本体を入れた状態の斜視図である。
【図５】枠内に蛇篭本体を入れた状態の断面図である。
【図６】蛇篭に蓋を装着し、補強フレームを載置するときの斜視図である。
【図７】蛇篭に蓋を装着し、補強フレームを載置した状態の断面図である。
【図８】吊ワイヤーの端部を揚重機のフックに引っ掛けた状態の斜視図である。
【図９】蛇篭を吊り上げて枠から取り出した状態の斜視図である。
【図１０】蛇篭を吊り上げた状態の断面図である。
【図１１】従来の蛇篭の施工方法の例の説明図である。
【図１２】従来の蛇篭の施工方法の例の説明図である。
【発明を実施するための形態】
【００１９】
以下、図１〜１０により、本発明の実施形態を説明する。
図１は、枠３の斜視図である。枠３は、４枚の側板を組み立てた箱状をなし、上面と下面は開放状態になっているが、底板を設けて上面のみを開放状態にしてもよい。枠の平面形状は、蛇篭の平面形状に適応させる。すなわち、蛇篭が１〜５０ｍｍ程度のクリアランスをもってスッポリ収まるようにする。枠の深さは、必ずしも蛇篭全体が収まる深さである必要はない。枠は、蛇篭に栗石などの充填材を充填するときに蛇篭の変形を防止するもので、その機能を満足できる深さがあればよい。
枠は、例えば、コンクリートを成形する鋼製型枠パネルを組み立てて製作できる。また、枠の各面は、必ずしもパネル状である必要はなく、例えば、棒状の鋼材を格子状に組み立てたものでもよい。
【００２０】
図２は、地面の上に置いた枠３の中に吊ワイヤー２１をセットした状態である。この場合、吊ワイヤーは３本で、吊ワイヤーの中央部を枠の中に入れ、両端部を各々対向する側壁上部から枠の外部に出るようにセットされている。
【００２１】
図３は、図２の状態から、枠３の中に棒状の補強材５を２本セットした状態である。棒状の補強材としては、例えば、Ｈ形鋼、コ字形鋼（チャンネル）、Ｌ字形鋼（アングル）、角パイプなどの鋼材を使用できる。この場合は、Ｌ字形鋼（アングル）を使用している。
この場合、補強材５は、枠３の対向する２辺（長辺）下端に沿って、吊ワイヤー２１の上に載置しているが、４辺の全てに設けることもできる。
【００２２】
図４，５は、図３の状態から、枠３の内部に蛇篭本体１０を入れた状態である。蛇篭本体は、金網を箱状（４側面と底面）に組み立てたものである。
【００２３】
図６は、図４，５の状態から、蛇篭本体内に栗石などの充填材を充填し、蓋１１（金網）を装着した上に、補強フレーム４を載置する状態である。
補強フレームは、例えば、Ｈ形鋼、コ字形鋼（チャンネル）、Ｌ字形鋼（アングル）、角パイプなどの鋼材を組み立てて製作できる。
【００２４】
図７は、図６の状態から、補強フレーム４を下降させ、蛇篭１の上に載置した状態である。
【００２５】
図８は、図７の状態から、各吊ワイヤー２１の両端部を、クレーンなどの揚重機のフック２０に引っ掛けた状態である。
【００２６】
図９，１０は、図８の状態から、揚重機で蛇篭１を吊り上げ、枠３から取り出した状態である。この後、揚重機で蛇篭１を所定の場所に移送し、吊り降ろして敷設する。
【符号の説明】
【００２７】
１  蛇篭
１０  蛇篭本体
１１  蓋
１２  充填材
２０  フック
２１  吊ワイヤー
２２  吊治具
２３  治具吊ワイヤー
２４  治具フック
３  枠
４  補強フレーム
５  補強材
【図１】
2015025240.tif 000003
【図２】
2015025240.tif 000004
【図３】
2015025240.tif 000005
【図４】
2015025240.tif 000006
【図５】
2015025240.tif 000007
【図６】
2015025240.tif 000008
【図７】
2015025240.tif 000009
【図８】
2015025240.tif 000010
【図９】
2015025240.tif 000011
【図１０】
2015025240.tif 000012
【図１１】
2015025240.tif 000013
【図１２】
2015025240.tif 000014